(57)【要約】【課題】  二枚の板状体を面一に確実に連結するとともに、容易に着脱することができる連結具を提供する。【解決手段】  外周に帯状の突縁部が設けられた二枚の板状体を面一に連結するために用いる連結具１であって、連結する二枚の板状体の隣り合う隅角部を、開閉可能に形成された基板３と蓋体４とで挟持するようになした連結具本体２と、このように連結する二枚の板状体の隣り合う隅角部を挟持させた連結具本体２の基板３と蓋体４との外側に被着させる断面コ字状の固定部材５とで構成される。また、連結具本体２の基板３と蓋体４の内側に、板状体の外周に設けられた突縁部と嵌合する位置決め溝が、連結する二枚の板状体の隣り合う隅角部に対応して形成されている。【選択図】図１
2006242202.tif 000002
【特許請求の範囲】
【請求項１】
外周に帯状の突縁部が設けられた二枚の板状体を面一に連結するために用いる連結具であって、
連結する二枚の板状体の隣り合う隅角部を、開閉可能に形成された基板と蓋体とで挟持するようになした連結具本体と、
このように連結する二枚の板状体の隣り合う隅角部を挟持させた前記連結具本体の基板と蓋体との外側に被着させる断面コ字状の固定部材とで構成されたことを特徴とする連結具。
【請求項２】
前記連結具本体の基板の内側および蓋体の内側に、板状体の外周に設けられた突縁部と嵌合する位置決め溝が、連結する二枚の板状体の隣り合う隅角部に対応して形成されていることを特徴とする請求項１記載の連結具。
【発明の詳細な説明】
【技術分野】
【０００１】
本発明は、二枚の板状体を面一に連結するために用いられる連結具に関する。
【背景技術】
【０００２】
従来から二枚の板状体を面一に連結する場合には、粘着テープを貼って連結するのが一般的であった。
【０００３】
しかし、粘着テープを使用した場合、粘着テープを一旦取り外した後は，粘着力が弱まるために再使用することは困難である。また、接着剤が板状体に残ったり、或いは板状体の塗装が剥げるおそれがあるといった問題があった。
【０００４】
このために、板状体と分離して着脱自在に構成された連結具が提案されている（例えば、特許文献１参照。）。
【０００５】
この連結具は、嵌合溝を嵌合することにより板状体の周側端部に取り付けられる連結用縁枠であって、複数の係合片が長手方向に一定の間隔をおいて設けられている。そして、一方の板状体に取り付けられた連結用縁枠の係合片に形成された係合溝と、他方の板状体に取り付けられた連結用縁枠の係合片に形成された係合溝とが互いに係合することにより、二枚の板状体が連結されるように構成されている。
【特許文献１】特開２００２−９６７号公報
【発明の開示】
【発明が解決しようとする課題】
【０００６】
しかしながら、上記した特許文献１に記載の連結具では、係合片に形成された係合溝の係合のみにより連結されるために、板状体同士がずれ易く、また、僅かにずれただけでも外れ易くなってしまうといった問題点があった。また、この連結具は、嵌合溝を嵌合することにより板状体の周側端部に取り付けられるので、厚紙程度の薄くて軽量な板状体に適用できるにとどまり、金属製や木製の薄板のような厚みと重量のある板状体を連結することは困難である。
【０００７】
本発明は、このような事情に鑑み創案されたもので、二枚の板状体を面一に確実に連結するとともに容易に着脱することができる連結具を提供するものである。
【課題を解決するための手段】
【０００８】
上記の目的を達成するため、本発明に係る連結具は、外周に帯状の突縁部が設けられた二枚の板状体を面一に連結するために用いる連結具であって、連結する二枚の板状体の隣り合う隅角部を、開閉可能に形成された基板と蓋体とで挟持するようになした連結具本体と、このように連結する二枚の板状体の隣り合う隅角部を挟持させた前記連結具本体の基板と蓋体との外側に被着させる断面コ字状の固定部材とで構成されたことを特徴とする。
【０００９】
この発明によれば、連結する二枚の板状体の隣り合う隅角部を、連結具本体の基板と蓋体とで挟持しているので、二枚の板状体を面一に連結することができる。
【００１０】
また、このように二枚の板状体を挟持した連結具本体の基板と蓋体との外側に固定部材を被着させるように構成しているので、二枚の板状体を簡単で確実に連結することができる。
【００１１】
さらに、被着した固定部材を取り外して連結具本体の基板と蓋体を開くと、二枚の板状体をそれぞれ分離することができる。したがって、運搬時や保管時には連結具を各板状体から取り外すことにより省スペース化を図ることができるるとともに、連結具を再使用することができる。
【００１２】
本発明は、前記連結具本体の基板の内側および蓋体の内側に、板状体の外周に設けられた突縁部と嵌合する位置決め溝が、連結する二枚の板状体の隣り合う隅角部に対応して形成されていることを特徴とする。
【００１３】
この発明によれば、連結する二枚の板状体の外周に設けられた突縁部を位置決め溝に嵌合することにより、二枚の板状体が連結具本体の基板と蓋体との間でずれることなく挟持される。したがって、簡単な構成で確実に二枚の板状体を連結することができる連結具を提供することができる。
【発明の効果】
【００１４】
本発明に係る連結具によれば、二枚の板状体を面一に確実に連結するとともに、容易に着脱することができる。
【発明を実施するための最良の形態】
【００１５】
以下、本発明の実施の形態について、図を参照して説明する。
【００１６】
図１、および図２には、本実施形態の連結具１の全体が示されている。
【００１７】
この連結具１は、連結する二枚の板状体６ａ，６ｂの隣り合う隅角部を挟持する連結具本体２と、この各板状体６ａ，６ｂを挟持した連結具本体２に被着させる固定部材５とから構成されている。
【００１８】
板状体６ａ，６ｂは、同一形状の一対のもので構成されている。板状体６ａは、図４に示すように平面視四角形状の薄板であって、本実施形態では、アルミニウム製の平板で形成されており、床面に載置すれば犬や猫等のペットがその上に乗ることで涼感を得ることができるように図られている。
【００１９】
なお、板状体６ａ，６ｂの材質は熱伝導が高いことからアルミニウムが好適に用いられるが、アルミニウムに限定されるものではない。例えば、保温性を有する発泡体で形成して、気温の低いときにペットがその上に乗って温感を得ることで、快適に過ごすことができるようにしても良い。
【００２０】
また、板状体６ａ，６ｂの床面と接する側の面に、滑り止め材を取り付けるようにしても良い。
【００２１】
板状体６ａ，６ｂの外周縁には、エッジ保護カバー７が取り付けられており、板状体６ａ，６ｂの縁でペットが傷つけられることがないように図られている。このエッジ保護カバー７は、板状体６ａ，６ｂの外周縁を被覆しており、板状体６ａ，６ｂの表面および裏面から若干突出する帯状の突縁部７ａが形成されている（図４（ｂ）参照）。
【００２２】
連結具本体２は、合成樹脂製の薄板であって、ヒンジ部２１を介して基板３と蓋体４とが折曲可能とされ、開閉可能に形成されている。
【００２３】
基板３の内側には、板状体６ａ，６ｂの各角隅部のエッジ保護カバー７の突縁部７ａが嵌め込まれる位置決め溝３ａが形成されている。また、連結具本体２を閉じたときに蓋体４と接する部分には、３個所の凹部３１が形成されている（図３参照）。さらに、基板３の外側には、固定部材５が嵌め込まれる凹み部３２が形成されている。この凹み部３２は、固定部材５の厚みと略等しい深さに形成されており、固定部材５を被着した際に基板３と固定部材５とが面一になるように図られている（図２参照）。
【００２４】
蓋体４の内側には、板状体６ａ，６ｂの各角隅部のエッジ保護カバー７の突縁部７ａが嵌め込まれる位置決め溝４ａが形成されている。また、連結具本体２を閉じたときに基板３と接する部分には、基板３の凹部３１に嵌合する３個所の凸部４１が形成されている（図３参照）。さらに、蓋体４の外側には、固定部材５が嵌め込まれる凹み部４２が形成されている（図１，図２参照）。
【００２５】
ヒンジ部２１は、基板３と蓋体４との境界線上に設けられた２個所の薄肉部で形成されている。また、基板３と蓋体４との境界線上の薄肉部で挟まれた部分には、長孔２２が開口されており、ヒンジ部２１で基板３と蓋体４とを折曲した際、固定部材５が嵌み込まれる切欠２３が形成されるように図られている。
【００２６】
固定部材５は、合成樹脂製の薄板の両端が同方向に屈曲されて断面コ字状に形成され、連結具本体２の基板３と蓋体４との外側に被着させることができるようになされている。
【００２７】
この固定部材５は、上下一対の固定片５１，５２と、これら一対の固定片５１，５２の後端側を連結する連結片５３とからなっている。また、固定部材５は、弾性力を有しており、連結する二枚の板状体６ａ，６ｂの隣り合う隅角部を挟持させた連結具本体２の基板３と蓋体４との外側に被着すると、連結具本体２の基板３と蓋体４とを内側に圧迫することができるように図られている。
【００２８】
上部固定片５２の外面適所には、使用者が指を掛けて固定部材５を容易に嵌め込むことができるように、指掛け部５２ａが形成されている（図１参照）。一方、下部固定片５１の外面適所には、使用者の指が滑らないように図示しない滑り止め部が形成されている。
【００２９】
なお、上下一対の固定片５１，５２の双方若しくはいずれか一方の先端の内側に突起を設け、この突起に対応する溝を連結具本体２の基板３および／または蓋体４の凹み部３２，４２に形成して、固定部材５を連結具本体２の基板３および蓋体４に嵌め込んだ状態を保持するようにしてもよい。
【００３０】
また、連結具本体２および固定部材５は、上記したように合成樹脂で形成され、ポリプロピレンが好適に用いられるが、合成樹脂に限定されるものではない。
【００３１】
次に、上記構成の連結具１の使用方法を、図を参照しながら説明する。
【００３２】
まず、使用者は、固定部材５を取り外して連結具本体２を開き、基板３の上に板状体６ａの板状体６ｂと隣接する角隅部をエッジ保護カバー７の突縁部７ａが連結具本体２の基板３の位置決め溝３ａに嵌合するように配置する（図５（ａ）参照）。板状体６ｂについても、同様にして板状体６ａと隣接する角隅部をエッジ保護カバー７の突縁部７ａが連結具本体２の基板３の位置決め溝３ａに嵌合するように配置する。
【００３３】
次いで、ヒンジ部２１で折曲することにより、蓋体４を板状体６ａ，６ｂを配置した基板３に被せて連結具本体２を閉じる（図５（ｂ）参照）。この際、板状体６ａ，６ｂのエッジ保護カバー７の突縁部７ａが蓋体４の位置決め溝４ａに嵌合するようにする。
【００３４】
続いて、固定部材５の指掛け部５２ａと滑り止め部に指を掛けて、固定部材５を連結具本体２の基板３の凹み部３２および蓋体４の凹み部４２に嵌め込んで被着する（図５（ｃ）参照）。
【００３５】
さらに、二枚の板状体６ａ，６ｂの反対側の隣接する角隅部に対しても、上記と同様にして連結具１で連結する（図６（ａ）参照）。このようにすると、板状体６ａ，６ｂの相対向する一辺が互いに突き合わされて連結される。
【００３６】
なお、このように板状体６ａ，６ｂを連結した場合、同一に形成された連結具１を２個用いているので、板状体６ａ，６ｂを面一に連結することができる。
【００３７】
また、図６（ｂ）に示すように、二枚の板状体６ａ，６ｂは、相対向する一辺の長さが同じであれば大きさが異なっていても、２個の連結具１を用いて好適に面一に連結することができる。
【００３８】
なお、図６（ｃ）に示すように、いずれか一方の板状体（例えば６ｂ）と、新たな板状体６ｃとを上記と同様に連結すると、３枚の板状体６ａ，６ｂ，６ｃを４個の連結具１を用いて面一に連結することもできる。
【００３９】
さらに、図６（ｄ）に示すように、４枚の板状体６ａ，６ｂ，６ｃ，６ｄの角隅部を４個の連結具１を用いて連結することにより、これら板状体６ａ，６ｂ，６ｃ，６ｄを面一に連結することもできる。
【００４０】
また、連結具１を取り外すには、固定部材５を連結具本体２から引き抜いて取り外し、蓋体４を起こして連結具本体２を開き、板状体６ａ，６ｂのエッジ保護カバー７の突縁部７ａを位置決め溝３ａから取り外して板状体６ａ，６ｂを分離するだけで良い。
【００４１】
このように連結具１は容易に着脱することができるので、連結具１を板状体６ａ，６ｂから取り外して保管することができ、省スペース化を図ることができる。また、商品として販売する際は、連結具１と板状体６ａ，６ｂ、若しくは、連結具１と板状体６ａ，６ｂ，６ｃ，６ｄなど任意に組み合わせて梱包し、犬や猫の大きさに合わせて使用者が選択可能とすることもできる。
【産業上の利用可能性】
【００４２】
本発明は、二枚の板状体を面一に確実に連結するとともに、容易に着脱することができる連結具に適用できる。
【図面の簡単な説明】
【００４３】
【図１】本発明に係る連結具を示す斜視図である。
【図２】図１の連結具を示す側面図である。
【図３】図１の連結具の連結具本体を示す斜視図である。
【図４（ａ）】本発明に係る連結具で連結される板状体を示す図である。
【図４（ｂ）】本発明に係る連結具で連結される板状体の一部を示す側面図である。
【図５（ａ）】図１の連結具の使用方法を説明する斜視図である。
【図５（ｂ）】図１の連結具の使用方法を説明する斜視図である。
【図５（ｃ）】図１の連結具の使用方法を説明する斜視図である。
【図６（ａ）】図１の連結具の使用状態を示す斜視図である。
【図６（ｂ）】図１の連結具の使用状態を示す斜視図である。
【図６（ｃ）】図１の連結具の使用状態を示す斜視図である。
【図６（ｄ）】図１の連結具の使用状態を示す斜視図である。
【符号の説明】
【００４４】
１      連結具
２      連結具本体
３      基板
３ａ    位置決め溝
４      蓋体
４ａ    位置決め溝
５      固定部材
６ａ，６ｂ  板状体
７ａ    突縁部
【図１】
2006242202.tif 000003
【図２】
2006242202.tif 000004
【図３】
2006242202.tif 000005
【図４（ａ）】
2006242202.tif 000006
【図４（ｂ）】
2006242202.tif 000007
【図５（ａ）】
2006242202.tif 000008
【図５（ｂ）】
2006242202.tif 000009
【図５（ｃ）】
2006242202.tif 000010
【図６（ａ）】
2006242202.tif 000011
【図６（ｂ）】
2006242202.tif 000012
【図６（ｃ）】
2006242202.tif 000013
【図６（ｄ）】
2006242202.tif 000014